(57)【特許請求の範囲】
【請求項１】
電線の端末に接続された端子金具が複数収容され、後端部にシール栓収容部が開口されたハウジングと、
前記シール栓収容部内に後方から圧入され、前記電線を密着状態で通す複数の電線挿通孔をもったシール栓と、
前記シール栓収容部内に後方から挿入され、前記シール栓の後方に位置して同シール栓の抜け止めをなし、前記電線を遊挿状態で通す複数の電線遊挿孔をもったシール栓押さえとを備え、
前記シール栓収容部の周壁には、同周壁を内外に貫通するとともに後面に開口するアリ溝が形成され、
前記シール栓押さえの外周には、同シール栓押さえの前記シール栓収容部内への挿入に伴って前記アリ溝内に嵌合するアリ溝係合部が形成されていることを特徴とする防水コネクタ。
【請求項２】
前記ハウジングには、複数のシール栓収容部が共有壁を介して隣接して配置され、前記共有壁に、前記アリ溝が貫通して形成されている請求項１記載の防水コネクタ。
【請求項３】
前記共有壁には、前記隣接する両シール栓収容部の夫々に形成されたアリ溝が互いに違いに配置されている請求項２記載の防水コネクタ。
【請求項４】
前記隣接する両シール栓収容部のうちの一方のシール栓収容部内に挿入された前記シール栓押さえのアリ溝係合部は、前記共有壁に形成された前記アリ溝を貫通して他方のシール栓収容部内に挿入された前記シール栓押さえの外周に当接している請求項２又は３記載の防水コネクタ。
【発明の詳細な説明】
【技術分野】
【０００１】
本発明は、防水コネクタに関する。
【背景技術】
【０００２】
特許文献１に記載の防水コネクタは、端子金具を収容可能な複数のキャビティを有するハウジングと、ハウジングの後端部に開口されたシール栓収容部内に後方から圧入されるシール栓と、シール栓に続いてシール栓収容部内に後方から挿入されてシール栓の抜け止めをなすシール栓押さえとを備えて構成されている。端子金具は電線の端末に接続され、シール栓は各電線を密着状態で通す複数の電線挿通孔を有し、シール栓押さえは各電線を遊挿状態で通す複数の電線遊挿孔を有している。
【特許文献１】特開２００６−６６２０８公報
【発明の開示】
【発明が解決しようとする課題】
【０００３】
ところで、上記のような一括タイプのシール栓においては、シール栓収容部の周壁の内面に大きな弾性力をもって密着する。このため、シール栓の弾性力がシール栓収容部の周壁の剛性を上回り、シール栓収容部の周壁が外側に変形することがある。その結果、シール栓と周壁との間にあるいはシール栓と電線との間に隙間が生じてシール性が損なわれるおそれがある。
【０００４】
本発明は上記のような事情に基づいて完成されたものであって、シール栓収容部の周壁の変形を防止して所定のシール性を確保することを目的とする。
【課題を解決するための手段】
【０００５】
上記の目的を達成するための手段として、請求項１の発明は、電線の端末に接続された端子金具が複数収容され、後端部にシール栓収容部が開口されたハウジングと、前記シール栓収容部内に後方から圧入され、前記電線を密着状態で通す複数の電線挿通孔をもったシール栓と、前記シール栓収容部内に後方から挿入され、前記シール栓の後方に位置して同シール栓の抜け止めをなし、前記電線を遊挿状態で通す複数の電線遊挿孔をもったシール栓押さえとを備え、前記シール栓収容部の周壁には、同周壁を内外に貫通するとともに後面に開口するアリ溝が形成され、前記シール栓押さえの外周には、同シール栓押さえの前記シール栓収容部内への挿入に伴って前記アリ溝内に嵌合するアリ溝係合部が形成されている構成としたところに特徴を有する。
【０００６】
請求項２の発明は、請求項１に記載のものにおいて、前記ハウジングには、複数のシール栓収容部が共有壁を介して隣接して配置され、前記共有壁に、前記アリ溝が貫通して形成されているところに特徴を有する。
【０００７】
請求項３の発明は、請求項２に記載のものにおいて、前記共有壁には、前記隣接する両シール栓収容部の夫々に形成されたアリ溝が互いに違いに配置されているところに特徴を有する。
【０００８】
請求項４の発明は、請求項２又は３に記載のものにおいて、前記隣接する両シール栓収容部のうちの一方のシール栓収容部内に挿入された前記シール栓押さえのアリ溝係合部は、前記共有壁に形成された前記アリ溝を貫通して他方のシール栓収容部内に挿入された前記シール栓押さえの外周に当接しているところに特徴を有する。
【発明の効果】
【０００９】
＜請求項１の発明＞
シール栓収容部の周壁にアリ溝が形成され、シール栓押さえの外周にアリ溝係合部が形成され、シール栓押さえのシール栓収容部内への挿入に伴ってアリ溝内にアリ溝係合部が嵌合するから、この嵌合によってシール栓収容部の周壁の変形が防止され、ひいてはシール栓による所定のシール性が確保される。また、アリ溝が周壁を内外に貫通して形成されているから、周壁の内外方向の厚みが大きくなることはなく、ひいてはハウジングの内外方向の寸法が小さく抑えられる。
【００１０】
＜請求項２の発明＞
共有壁にアリ溝が貫通して形成されているから、共有壁にアリ溝が非貫通とされる場合に比べ、共有壁の内外方向の厚みが小さくなり、ハウジングの内外方向の寸法がより小さく抑えられる。
【００１１】
＜請求項３の発明＞
共有壁には隣接する両シール栓収容部の夫々に形成されたアリ溝が互い違いに配置されているから、アリ溝内にアリ溝係合部が嵌合する向きも互いに違いとなり、これらの係止作用によって共有壁の剛性が高められる。
【００１２】
＜請求項４の発明＞
一方のシール栓収容部内に挿入されたシール栓押さえのアリ溝係合部が共有壁に形成されたアリ溝を貫通して他方のシール栓収容部内に挿入されたシール栓押さえの外周に当接しているから、シール栓収容部内にシール栓押さえががた付きなく保持される。
【発明を実施するための最良の形態】
【００１３】
本発明の一実施形態を図１ないし図３によって説明する。本実施形態の防水コネクタは、ハウジング１０、シール栓４０、シール栓押さえ６０、電線９０の端末に接続された端子金具８０を備え、図示しない相手側のハウジングと嵌合可能とされている。なお、以下の説明においては相手側のハウジングとの嵌合面側を前方とする。
【００１４】
ハウジング１０は合成樹脂製であって、全体として角ブロック状をなしている。ハウジング１０には、図２に示すように、端子金具８０を収容可能な複数のキャビティ１１が前後方向に貫通して形成されている。キャビティ１１の内壁には同キャビティ１１内に正規挿入された端子金具８０を抜け止めするランス１２が撓み可能に形成されている。キャビティ１１は、大型の端子金具８０Ａを収容する開口径の大きい大キャビティ１１Ａと、小型の端子金具８０Ｂを収容する開口径の小さい小キャビティ１１Ｂとからなる。
【００１５】
大キャビティ１１Ａの形成領域は、図１に示すように、ハウジング１０の幅方向一端部にあって高さ方向（上下方向）に細長い第１キャビティ群１３とその横隣りでかつハウジング１０の下端部にあって幅方向に細長い第２キャビティ群１４とからなる。また、小キャビティ１１Ｂの形成領域は、第１キャビティ群１３の横隣りでかつハウジング１０の上端部にあって幅方向に細長い第３キャビティ群１５と、第１キャビティ群１３の横隣りでかつハウジング１０の中間部にあって幅方向に細長い第４キャビティ群１６とからなる。第４キャビティ群１６は第２、第３キャビティ群１４、１５より幅方向に長い形状をなし、第４キャビティ群１６の幅方向一端部は第１キャビティ群１３の他段側に進入している。
【００１６】
また、ハウジング１０は、第１〜第３キャビティ群１３、１４、１５をもったアウタハウジング１７と、アウタハウジング１７に着脱可能であって第４キャビティ群１６をもったインナハウジング１８とからなる。アウタハウジング１７はハウジング１０全体の外郭を形成しており、インナハウジング１８は全体として幅方向に扁平な角ブロック状をなしている。第４キャビティ群１６は、第１〜第３キャビティ群１３、１４、１５から独立してインナハウジング１８内に形成されている。アウタハウジング１７の上下両面には、相手側のハウジングに装着されたレバーに係合してカム作用を発揮する一対のカムフォロア１９が突出して形成されている。
【００１７】
アウタハウジング１７内には、図２に示すように、インナハウジング１８を収容する収容凹部２１が形成されている。収容凹部２１は、第４キャビティ群１６と対応するよう、第１キャビティ群１３の横隣りで、かつ第２、第３キャビティ群１４、１５の間にあって後面に開口する形態をなし、その前端部に、インナハウジング１８の前壁２２が形成されている。前壁２２の前面及びアウタハウジング１７の前面には、図示しない相手側の雄タブが前方から挿入されるタブ挿入口２３が開口して形成されている。また、収容凹部２１の前後方向略中央部には、インナハウジング１８を前止め可能な段部２４が形成されている。
【００１８】
端子金具８０は、導電性金属板を曲げ加工して形成され、前側に雄タブと接続可能な箱型の本体部８１を有し、後側に電線９０の端末に接続されたバレル部８２を有している。第３キャビティ群１５には上下で隣接する端子金具８０同士が背中合わせで配置され、第４キャビティ群１６には上下で隣接する端子金具８０同士が腹合わせで配置されている。端子金具８０の本体部８１には、同端子金具８０がキャビティ１１内に誤挿入されるのを防止するスタビライザ８３が突出して形成されている。第３キャビティ群１５は上下キャビティ１１の外側縁部に、第４キャビティ群１６は上下キャビティ１１の内側縁部に、それぞれスタビライザ８３の挿入溝２５を有している。
【００１９】
大キャビティ１１Ａの後部はその前部より大きな開口径をもった個別ゴム栓収容部２６とされ、個別ゴム栓収容部２６内に、大型の端子金具８０Ａに接続された電線９０の外周面に嵌着された個別ゴム栓９５が後方から密着状態で挿入されている。かかる個別ゴム栓９５は、個別ゴム栓収容部２６の内奥に押し込まれ、個別ゴム栓収容部２６の内周面に密着するとともに、電線９０の外周面に密着することで、大キャビティ１１Ａ内のシールをとる。
【００２０】
ハウジング１０の後端部には、シール栓収容部３０が形成されている。シール栓収容部３０は、第３キャビティ群１５の後方にて後面に開口する第３シール栓収容部３０Ａと、第４キャビティ群１６の後方にて後面に開口する第４シール栓収容部３０Ｂとからなる。  
第３シール栓収容部３０Ａは、アウタハウジング１７の後端部において、第３キャビティ群１５全体の後方を覆うように幅方向に延びる背面視略矩形状をなし、第４シール栓収容部３０Ｂは、収容凹部２１における段部２４の後方にあって、第４キャビティ群１６全体の後方を覆うように幅方向に延びる背面視略長円形状をなしている。第３、第４シール栓収容部３０Ａ、３０Ｂは比較的薄肉の周壁３１によって画成され、周壁３１には第３、第４シール栓収容部３０Ａ、３０Ｂの間を仕切る幅方向に細長い共有壁３２が含まれている。
【００２１】
また、第３シール栓収容部３０Ａと第３キャビティ群１５との間には段差３３が形成されている。第４シール栓収容部３０Ｂの幅寸法は第３シール栓収容部３０Ａの幅寸法より大きく、第４シール栓収容部３０Ｂの幅方向一端部が第１キャビティ群１３の他段側に進入している。インナハウジング１８の前後長は収容凹部２１の前後長より短寸とされ、収容凹部２１に対して正規深さで収容されたインナハウジング１８の後面より後方に実質的なシール栓４０の収容空間が構成されている。
【００２２】
シール栓４０はシリコンゴム等のゴム製であって、第３シール栓収容部３０Ａ内に圧入される第３シール栓４０Ａと、第４シール栓収容部３０Ｂ内に圧入される第４シール栓４０Ｂとからなる。第３、第４シール栓４０Ａ、４０Ｂは、第３、第４シール栓収容部３０Ａ、３０Ｂと対応する形状であって幅方向に細長い板状をなし、第３、第４シール栓収容部３０Ａ、３０Ｂの前半部に収容されている。第３、第４シール栓４０Ａ、４０Ｂには、図３にも示すように、小型の端子金具８０Ｂに接続された電線９０を密着状態で通す複数の電線挿通孔４１が前後方向に貫通して形成されている。第３、第４シール栓４０Ａ、４０Ｂの外周面に形成された外側リップ４２が第３、第４シール栓収容部３０Ａ、３０Ｂの内周面に密着し、電線挿通孔４１の内周面に形成された内側リップ４３が電線９０の外周面に密着することにより、小キャビティ１１Ｂ内のシールがとられる。
【００２３】
シール栓押さえ６０は、合成樹脂製であって、第３シール栓４０Ａに続いて第３シール栓収容部３０Ａ内に後方から挿入される第３シール栓押さえ６０Ａと、第４シール栓４０Ｂに続いて第４シール栓収容部３０Ｂ内に後方から挿入される第４シール栓押さえ６０Ｂとからなる。第３、第４シール栓押さえ６０Ａ、６０Ｂは第３、第４シール栓４０Ａ、４０Ｂと対応する形状であって幅方向に細長い板状をなし、第３、第４シール栓収容部３０Ａ、３０Ｂの後半部に収容されている。第３、第４シール栓収容部３０Ａ、３０Ｂの後半部に正規深さで収容された第３、第４シール栓押さえ６０Ａ、６０Ｂの後面はハウジング１０の後面に面一で連なっている。第３、第４シール栓押さえ６０Ａ、６０Ｂには、小型の端子金具８０Ｂに接続された電線９０を遊挿状態で通す複数の電線遊挿孔６１が電線挿通孔４１及びキャビティ１１と前後方向の同軸上で並ぶように形成されている。第３、第４シール栓４０Ａ、４０Ｂの後面にそれぞれ第３、第４シール栓押さえ６０Ａ、６０Ｂの前面が面当りすることにより、第３、第４シール栓４０Ａ、４０Ｂの後方への抜け止めがなされる。
【００２４】
さて、第３、第４シール栓押さえ６０Ａ、６０Ｂの外周縁には、複数のアリ溝係合部６５が突出して形成されている。各アリ溝係合部６５は、いずれも同形同大とされ、外側（突出端側）に向かって次第に拡幅する台形状、詳細には等脚台形状をなし、第３、第４シール栓押さえ６０Ａ、６０Ｂの前後長（板厚）の全長に亘って形成されている。第３シール栓押さえ６０Ａは、上縁の幅方向中央を挟んだ両側に一対のアリ溝係合部６５を有し、下縁の幅方向中央を挟んだ両側に一対のアリ溝係合部６５を有し、これらアリ溝係合部６５を上下で対称に位置させている。また、これらアリ溝係合部６５は第３シール栓押さえ６０Ａの中心から点対称の位置に設けられている。したがって、第３シール栓収容部３０Ａに対するシール栓押さえ６０Ａの上下反転装着が可能となり、装着作業性が良好となる。また、第４シール栓押さえ６０Ｂは、上縁の幅方向中央から一側へ寄った位置を挟んだ両側に一対のアリ溝係合部６５を有し、下縁の幅方向中央を挟んだ両側に一対のアリ溝係合部６５を有し、これらアリ溝係合部６５を上下で非対称に位置させている。なお、第３、第４シール栓押さえ６０Ａ、６０Ｂの上下両縁は幅方向に沿ってストレート状に延びている。
【００２５】
一方、第３、第４シール栓収容部３０Ａ、３０Ｂの周壁３１には、アリ溝係合部６５とアリ継ぎ係合可能なアリ溝３５が形成されている。各アリ溝３５は、各アリ溝係合部６５と適合する台形状をなし、周壁３１を厚み方向（内外方向）に貫通するとともに、アリ溝係合部６５の前後長に対応するよう前後方向に延びて後面に開口する形態とされている。第３シール栓収容部３０Ａは、上側の周壁３１の幅方向中央を挟んだ両側に一対のアリ溝３５を有し、共有壁３２の幅方向中央を挟んだ両側に一対のアリ溝３５を有し、これらアリ溝３５を上下で対称に位置させている。また、これらアリ溝３５は第３シール栓収容部３０Ａの中心から点対称の位置に設けられている。第４シール栓収容部３０Ｂは、共有壁３２の幅方向中央より一側へ寄った位置に一対のアリ溝３５を有し、下側の周壁３１の幅方向中央を挟んだ両側に一対のアリ溝３５を有し、これらアリ溝３５を上下で非対称に位置させている。
【００２６】
共有壁３２には、図４に示すように、第３シール栓押さえ６０Ａのアリ溝係合部６５と第４シール栓押さえ６０Ｂのアリ溝係合部６５とが幅方向に交互に並ぶように配設され、これに対応して、第３シール栓収容部３０Ａのアリ溝３５と第４シール栓収容部３０Ｂのアリ溝３５とが幅方向に交互に並ぶように配設されている。そして、共有壁３２の各アリ溝３５間は断面平行四辺形の突片部３６とされ、各突片部３６の傾き方向を幅方向に交互に異ならせている。
【００２７】
次に、本実施形態の作用効果を説明する。  
アウタハウジング１７の収容凹部２１内に後方からインナハウジング１８を挿入し、インナハウジング１８をアウタハウジング１７内に収容保持する。インナハウジング１８のキャビティ１１内には予め電線９０付きの端子金具８０を挿入しておく。
【００２８】
インナハウジング１８の装着と前後して、第１〜第３キャビティ群１３、１４、１５のキャビティ１１内に後方から電線９０付きの端子金具８０を挿入する。また、大キャビティ１１Ａの個別ゴム栓収容部２６内に電線９０とともに個別ゴム栓９５を挿入する。  
一方、小キャビティ１１Ｂの第３、第４シール栓収容部３０Ａ、３０Ｂ内に後方から第３、第４シール栓４０Ａ、４０Ｂを圧入する。第３シール栓収容部３０Ａに圧入される第３シール栓４０Ａは段差３３に当て止めされる位置で正規収容され、第４シール栓収容部３０Ｂに圧入される第４シール栓４０Ｂはインナハウジング１８の後面に当て止めされる位置で正規収容される。
【００２９】
次いで、第３、第４シール栓収容部３０Ａ、３０Ｂ内に後方から第３、第４シール栓押さえ６０Ａ、６０Ｂを挿入し、第３、第４シール栓押さえ６０Ａ、６０Ｂを第３、第４シール栓収容部３０Ａ、３０Ｂ内に収容保持する。挿入の過程で、アリ溝係合部６５がアリ溝３５内に後方から挿入され、アリ溝係合部６５の外面がアリ溝３５の内面を摺動することで、第３、第４シール栓押さえ６０Ａ、６０Ｂの挿入案内がなされる。挿入の完了時には、アリ溝係合部６５がアリ溝３５内に嵌合し、第３、第４シール栓押さえ６０Ａ、６０Ｂが第３、第４シール栓収容部３０Ａ、３０Ｂ内に遊動規制状態に保持される。また挿入の完了時には、共有壁３２のアリ溝３５内に嵌合する第３シール栓押さえ６０Ａのアリ溝係合部６５の突出端面が第４シール栓押さえ６０Ｂの上縁に面当り状に当接するとともに、共有壁３２のアリ溝３５内に嵌合する第４シール栓押さえ６０Ｂのアリ溝係合部６５の突出端面が第３シール栓押さえ６０Ａの下縁に面当り状に当接する。
【００３０】
ところで、第３、第４シール栓収容部３０Ａ、３０Ｂの周壁３１は薄肉であるため、第３、第４シール栓４０Ａ、４０Ｂの弾性力を受けて外側に膨出するように変形し、第３、第４シール栓４０Ａ、４０Ｂによるシール性が低下するおそれがある。しかし、本実施形態によれば、周壁３１のアリ溝３５内に第３、第４シール栓押さえ６０Ａ、６０Ｂのアリ溝係合部６５が嵌合することにより、周壁３１が外側に膨出するように変形するのを規制する。このため、第３、第４シール栓４０Ａ、４０Ｂによる所定のシール性が確保される。また、アリ溝３５が周壁３１を上下に貫通して形成されているから、周壁３１の厚みが大きくなることはなく、ひいてはハウジング１０の高さ寸法が小さく抑えられる。
【００３１】
また、共有壁３２にアリ溝３５が貫通して形成されているから、共有壁３２にアリ溝３５が非貫通とされる場合に比べ、共有壁３２の厚みが小さくなり、ハウジング１０の高さ方向の寸法がより小さく抑えられる。
【００３２】
また、図４に示すように、共有壁３２には互いに隣接する第３、第４シール栓収容部３０Ａ、３０Ｂの夫々に形成されたアリ溝３５が互い違いに配置されているから、アリ溝３５内にアリ溝係合部６５が嵌合する向きも互いに違いとなり、これらの係止作用によって共有壁３２の剛性が高められる。その結果、周壁３１の変形を確実に防止できる。
【００３３】
さらに、共有壁３２のアリ溝３５内に嵌合するアリ溝係合部６５が相手側の第３、第４シール栓押さえ６０Ａ、６０Ｂの外縁に当接するため、第３、第４シール栓押さえ６０Ａ、６０Ｂが第３、第４シール栓収容部３０Ａ、３０Ｂ内にがた付きなく保持される。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）アリ溝係合部は、アリ溝内に適合する形状である必要はなく、例えば、突出先端から幅方向に張り出すＴ字形であってもよい。  
（２）シール栓押さえはシール栓収容部内に部分的に挿入されるものであってもよい。
（３）シール栓収容部はハウジングに１つだけ形成され、ここに１つのシール栓及び１つのシール栓押さえが挿入されるものであってもよい。
（４）アリ溝係合部は、第４シール栓押さえの中心から点対称の位置に設けられ、アリ溝は、第４シール栓押さえの中心から点対称の位置に設けられるようにしてもよい。これによれば、第３シール栓押さえと同様、第４シール栓押さえの上下反転装着が可能となるため、装着作業性が良好となる。
【図面の簡単な説明】
【００３５】
【図１】本発明の一実施形態の防水コネクタの背面図である。
【図２】図１のＡ−Ａ断面図である。
【図３】シール栓収容部にシール栓を収容したハウジングの背面図である。
【図４】共有壁周辺の拡大背面図である。
【符号の説明】
【００３６】
１０…ハウジング
３０…シール栓収容部
３０Ａ…第３シール栓収容部
３０Ｂ…第４シール栓収容部
３１…周壁
３２…共有壁
３５…アリ溝
４０…シール栓
４０Ａ…第３シール栓
４０Ｂ…第４シール栓
４１…電線挿通孔
６０…シール栓押さえ
６０Ａ…第３シール栓押さえ
６０Ｂ…第４シール栓押さえ
６１…電線遊挿孔
６５…アリ溝係合部
８０…端子金具
９０…電線
【図１】
0004968170.tif 000002
【図２】
0004968170.tif 000003
【図３】
0004968170.tif 000004
【図４】
0004968170.tif 000005